(57)【要約】【課題】リアクトルとヒートシンクの伝熱効率が高く、かつ、防振性が高いリアクトル装置を得ること。【解決手段】コイル１１を収容した上下外鉄部１３、１４をボルト１６及びナット１７で締結し、外形を短柱状に形成した外鉄型リアクトル１０と、前記外鉄型リアクトルの少なくとも下半分が埋設され、埋設された前記外鉄型リアクトルの底面及び側面に、圧縮性を有するシート状の伝熱防振材２３、２４を介して底面及び側面が接触する埋設穴２１ｂ、及び放熱フィン２１ａを有するヒートシンク２１と、前記外鉄型リアクトルの上方へ突出する前記ボルトの突出部が挿通される防振ゴムブッシュ４０と、前記防振ゴムブッシュを中央部に保持し、両端部が前記ヒートシンクにねじ止めされ、前記防振ゴムブッシュを介して前記外鉄型リアクトルを前記ヒートシンクの埋設穴内へ押圧、固定する取付金具２６と、を備える。【選択図】図１
2013247218.tif 000002
【特許請求の範囲】
【請求項１】
コイルを収容した上下外鉄部をボルト及びナットで締結し、外形を短柱状に形成した外鉄型リアクトルと、
前記外鉄型リアクトルの少なくとも下半分が埋設され、埋設された前記外鉄型リアクトルの底面及び側面に、圧縮性を有するシート状の伝熱防振材を介して底面及び側面が接触する埋設穴、及び放熱フィンを有するヒートシンクと、
前記外鉄型リアクトルの上方へ突出する前記ボルトの突出部が挿通される防振ゴムブッシュと、
前記防振ゴムブッシュを中央部に保持し、両端部が前記ヒートシンクにねじ止めされ、前記防振ゴムブッシュを介して前記外鉄型リアクトルを前記ヒートシンクの埋設穴内へ押圧、固定する取付金具と、
を備えることを特徴とするリアクトル装置。
【請求項２】
前記取付金具は、ばね鋼により形成されていることを特徴とする請求項１に記載のリアクトル装置。
【発明の詳細な説明】
【技術分野】
【０００１】
本発明は、太陽光発電システムのパワーコンディショナー等のパワー半導体装置に用いられるリアクトル装置に関する。
【背景技術】
【０００２】
従来、並設された一対のコイルにそれぞれ挿通された第１のコアと、これらの第１のコアの各端部の外側にそれぞれ配置され、ほぼロ字状のコアユニットを構成する第２のコアと、前記コアユニットを挟持し、前記第２のコアを前記第１のコアに圧着する挟持部材と、この挟持部材と前記第２のコアとの間に介装され、弾性を有しかつ含浸剤が染み込まない材質からなる防振材とを備えたリアクトルが開示されている（例えば、特許文献１参照）。
【先行技術文献】
【特許文献】
【０００３】
【特許文献１】特開２００４−３１９６７９号公報
【発明の概要】
【発明が解決しようとする課題】
【０００４】
しかしながら、上記従来の技術によれば、コアがコイルや防振材の内側に配置されるので、ヒートシンクへの伝熱性が悪い、という問題がある。
【０００５】
本発明は、上記に鑑みてなされたものであって、リアクトルとヒートシンクの伝熱効率が高く、かつ、防振性が高いリアクトル装置を得ることを目的とする。
【課題を解決するための手段】
【０００６】
上述した課題を解決し、目的を達成するために、本発明は、コイルを収容した上下外鉄部をボルト及びナットで締結し、外形を短柱状に形成した外鉄型リアクトルと、前記外鉄型リアクトルの少なくとも下半分が埋設され、埋設された前記外鉄型リアクトルの底面及び側面に、圧縮性を有するシート状の伝熱防振材を介して底面及び側面が接触する埋設穴、及び放熱フィンを有するヒートシンクと、前記外鉄型リアクトルの上方へ突出する前記ボルトの突出部が挿通される防振ゴムブッシュと、前記防振ゴムブッシュを中央部に保持し、両端部が前記ヒートシンクにねじ止めされ、前記防振ゴムブッシュを介して前記外鉄型リアクトルを前記ヒートシンクの埋設穴内へ押圧、固定する取付金具と、を備えることを特徴とする。
【発明の効果】
【０００７】
本発明によれば、リアクトルとヒートシンクの伝熱効率が高く、かつ、防振性が高いリアクトル装置が得られる、という効果を奏する。
【図面の簡単な説明】
【０００８】
【図１】図１は、本発明のリアクトル装置の実施の形態を示す断面図である。
【図２】図２は、実施の形態のリアクトル装置の平面図である。
【図３】図３は、実施の形態の外鉄型リアクトルの底部の伝熱防振材を示す平面図である。
【図４】図４は、実施の形態の外鉄型リアクトルの側部の伝熱防振材を示す平面図である。
【発明を実施するための形態】
【０００９】
以下に、本発明にかかるリアクトル装置の実施の形態を図面に基づいて詳細に説明する。なお、この実施の形態によりこの発明が限定されるものではない。
【００１０】
実施の形態
図１は、本発明のリアクトル装置の実施の形態を示す断面図であり、図２は、実施の形態のリアクトル装置の平面図であり、図３は、実施の形態の外鉄型リアクトルの底部の伝熱防振材を示す平面図であり、図４は、実施の形態の外鉄型リアクトルの側部の伝熱防振材を示す平面図である。
【００１１】
図１〜図４に示すように、実施の形態の外鉄型リアクトル１０は、短円筒形のコイル１１と、内部にコイル１１を収容した円形キャップ状の上外鉄部１３及び下外鉄部１４と、上下外鉄部１３、１４、コイル１１及び後述の取付金具２６の中心部を貫通し、ナット１７にねじ込まれて上下外鉄部１３、１４、コイル１１を締結して一体化するボルト１６と、を有している。
【００１２】
上下外鉄部１３、１４は、圧粉鉄心等による磁性材料により形成されている。下外鉄部１４の中心部外側には、凹部１４ａが形成され、ボルト１６の頭部１６ａの高さは、凹部１４ａの深さと略同一であり、頭部１６ａは凹部１４ａ内に収まっている。外鉄型リアクトル１０の外形は、短円柱状（短柱状）となっている。なお、外鉄型リアクトル１０の外形は、短四角柱状等の各種形状をとる場合もある。
【００１３】
実施の形態のリアクトル装置２０は、一側に多数の放熱フィン２１ａが設けられ他側に外鉄型リアクトル１０の少なくとも下半分が埋設される円形の埋設穴２１ｂが設けられたアルミダイキャスト製のヒートシンク２１と、埋設穴２１ｂの底面と外鉄型リアクトル１０の底面との間に配置された圧縮性、非接着性を有する円形スポンジシート状の底部伝熱防振材２３（図３参照）と、圧縮性、非接着性を有する細長スポンジシート状の伝熱防振材を丸めて円筒状に形成され、埋設穴２１ｂの側面と外鉄型リアクトル１０の側面との間に配置された側部伝熱防振材２４（図４参照）と、外鉄型リアクトル１０を埋設穴２１ｂ内に押圧、固定する後述の取付金具２６と、を備えている。
【００１４】
なお、外鉄型リアクトル１０の外形が短四角柱状等の形状をとる場合は、角部にコーナーＲを形成することにより、伝熱性及び作業性を損なうことなく、細長スポンジシート状の側部伝熱防振材２４を用いることができる。
【００１５】
次に、実施の形態のリアクトル装置２０の特徴的な構成を説明する。取付金具２６の中央には、孔２６ｂが設けられている。孔２６ｂには、防振ゴムブッシュ４０が環状溝４０ｂを介して嵌合、保持されている。防振ゴムブッシュ４０には、外鉄型リアクトル１０の上方へ突出するボルト１６の突出部が挿通される孔４０ａが設けられている。
【００１６】
ボルト１６の突出部を防振ゴムブッシュ４０の孔４０ａに挿通し、ばね鋼製の取付金具２６の両端部の取付部２６ａを、止めねじ２７によりヒートシンク２１の他側にねじ止めすれば、取付金具２６が撓み、防振ゴムブッシュ４０及びナット１７を介して外鉄型リアクトル１０をヒートシンク２１の埋設穴２１ｂ内に押圧し、固定する。
【００１７】
以上説明したように、実施の形態のリアクトル装置２０は、外鉄型リアクトル１０を、底部伝熱防振材２３、側部伝熱防振材２４、防振ゴムブッシュ４０及びばね鋼製の取付金具２６を介して、ヒートシンク２１の埋設穴２１ｂ内に保持したので、外鉄型リアクトル１０とヒートシンク２１の伝熱効率が高く、かつ、防振性が高い。
【００１８】
特に、外鉄型リアクトル１０の、底面全面、埋設穴２１ｂに埋設された側面全周からヒートシンク２１に伝熱されるので、伝熱性及び放熱性が高く、外鉄型リアクトル１０を低温に保つことができる。また、非接着性の底部伝熱防振材２３及び側部伝熱防振材２４を用いているので、製品リサイクル時の素材分離が容易である。
【００１９】
外鉄型リアクトル１０の直上近傍には、電子回路基板３０が配置され、２本のリアクトル導線３２が、電子回路基板３０を通して、電子回路基板３０上に配置された端子台３１に接続されている。外鉄型リアクトル１０が低温に保たれているので、電子回路基板３０を、外鉄型リアクトル１０の近傍（数ｃｍ以内）に配置することができ、リアクトル導線３２の配線長さを短くすることができる。そのため、製品投影面積を小さくすることができ、また、電磁性ノイズの輻射ノイズを低減するための電流ループ面積を縮小することができる。
【符号の説明】
【００２０】
１０  外鉄型リアクトル
１１  コイル
１３  上外鉄部
１４  下外鉄部
１４ａ  凹部
１６  ボルト
１６ａ  頭部
１７  ナット
２０  リアクトル装置
２１  ヒートシンク
２１ａ  放熱フィン
２１ｂ  埋設穴
２３  底部伝熱防振材（伝熱防振材）
２４  側部伝熱防振材（伝熱防振材）
２６  取付金具
２６ａ  取付部
２６ｂ  孔
２７  止めねじ
３０  電子回路基板
３１  端子台
３２  リアクトル導線
４０  防振ゴムブッシュ
４０ａ  孔
４０ｂ  環状溝
【図１】
2013247218.tif 000003
【図２】
2013247218.tif 000004
【図３】
2013247218.tif 000005
【図４】
2013247218.tif 000006